(57)【要約】【課題】ユーザの利便性が高い公開市場システム等を提供する。【解決手段】  公開市場システム１は、競技について予想販売者が予想する展開を示す予想情報を収集する情報収集部１５１と、予想購入者が保有するトークンの投入を受け付ける投入受付部１５２と、情報収集部１５１が収集した予想情報及び予想情報に基づく最適予想情報を、トークンを投入した予想購入者に提示する情報提示部１５４と、一人以上の予想購入者から最適予想情報に対して投入されたトークンを一人以上の予想販売者に配分する配分実行部１５５と、を備える。【選択図】図２
2020080053.tif 000002
【特許請求の範囲】
【請求項１】
競技について予想販売者が予想する展開を示す予想情報を収集する情報収集部と、
予想購入者が保有するトークンの投入を受け付ける投入受付部と、
前記情報収集部が収集した前記予想情報及び前記予想情報に基づく最適予想情報を、前記トークンを投入した前記予想購入者に提示する情報提示部と、
一人以上の前記予想購入者から前記最適予想情報に対して投入された前記トークンを一人以上の前記予想販売者に配分する配分実行部と、
を備えることを特徴とする公開市場システム。
【請求項２】
前記最適予想情報は、収集した前記予想情報及び前記予想販売者の過去の実績を機械学習によって解析した結果である、
ことを特徴とする請求項１に記載の公開市場システム。
【請求項３】
前記情報提示部は、前記トークンの履歴情報に基づいて、前記予想情報の販売及び購入の実績を示す実績情報を前記予想購入者に提示する、
ことを特徴とする請求項１又は２に記載の公開市場システム。
【請求項４】
前記配分実行部は、前記予想販売者の前記予想情報の販売実績又は当否実績に応じて、該予想販売者に前記トークンを配分する、
ことを特徴とする請求項１から３のいずれか1項に記載の公開市場システム。
【請求項５】
前記配分実行部は、前記予想販売者の直近過去の前記予想情報の当否実績から算出される予想精度に基づいて、該予想販売者に前記トークンを配分する、
ことを特徴とする請求項１から３のいずれか1項に記載の公開市場システム。
【請求項６】
競技について予想販売者が予想する展開を示す予想情報を収集する情報収集ステップと、
予想購入者が保有するトークンの投入を受け付ける投入受付ステップと、
前記情報収集ステップにおいて収集された前記予想情報及び前記予想情報に基づく最適予想情報を、前記トークンを投入した前記予想購入者に提示する情報提示ステップと、
一人以上の前記予想販売者から前記最適予想情報に対して投入された前記トークンを一人以上の前記予想販売者に配分する配分実行ステップと、
を含むことを特徴とする公開市場の提供方法。
【請求項７】
コンピュータを、
競技について予想販売者が予想する展開を示す予想情報を収集する情報収集手段、
予想購入者が保有するトークンの投入を受け付ける投入受付手段、
前記情報収集手段が収集した前記予想情報及び前記予想情報に基づく最適予想情報を、前記トークンを投入した前記予想購入者に提示する情報提示手段、
一人以上の前記予想購入者から前記最適予想情報に対して投入された前記トークンを一人以上の前記予想販売者に配分する配分実行手段、
として機能させるプログラム。
【発明の詳細な説明】
【技術分野】
【０００１】
本開示は、公開市場システム、公開市場の提供方法及びプログラムに関する。
【背景技術】
【０００２】
公の機関が開催し、賭け事が許可されている公営競技には、競馬、競輪、競艇、オートレースがある。これらの公営競技では、予想の販売を行う予想販売者が存在する。また、予想販売者がネットワークを介して予想情報を販売するシステムが提案されている。
【０００３】
例えば、特許文献１には、予想の売買を仲介する公開市場システムが開示されている。このシステムでは、予想販売者（売り手）の予想の「実績」となる的中率、回収率、回収額、販売額等の実績のデータを計算し、それを予想販売者の予想情報と共に予想購入者（買い手）に提供する。
【先行技術文献】
【特許文献】
【０００４】
【特許文献１】特開２０１１−４３９１６号公報
【発明の概要】
【発明が解決しようとする課題】
【０００５】
特許文献１には、サーバ装置が算出した実績を提供するため、予想販売者が自己申告した実績に比べて信用性が高い情報を予想購入者に提供できる点が示されている。しかし、この場合、予想購入者は、サーバ装置が提供する情報を信用することしかできず、予想情報の取引における透明性及び中立性が低い。例えば、サーバ装置の管理者や悪意のあるユーザが実績に関する情報を改ざんした場合、予想購入者はそれを知る術がない。そのため、提供される情報の信用性が低い。
【０００６】
特許文献１の公開市場システムは、競馬や競輪等の公営競技が予想の対象となっている。そのため、サッカー、野球等の一般的な競技に適用できず、汎用性が低い。例えば、公営競技では、レースの先着順で誰が何番になっているかの予想が中心である。公営競技では、試合の勝敗、何点が入るか、点数差、誰が点を入れるか（特定の選手の活躍）、どのようなチーム編成になるか等の展開は予想対象ではない。
【０００７】
ところで、メジャーではない競技では、予想の数が少ない場合があり、従来の解析手法では、最適予想の精度を確保することは困難である。また、予想が大量販売される場合には、従来の解析手法では、リアルタイムに最適予想を導くことが困難である。最適予想では、計算された時点の予測の傾向を示すことが好ましく、高速性が要求される。このような課題を解決する方法について特許文献１には開示されていない。
【０００８】
このように、特許文献１の公開市場システムでは、種々の観点において、ユーザの利便性が低い。
【０００９】
そこで、本開示はこのような事情に鑑み、ユーザの利便性が高い公開市場システム等を提供することを目的とする。
【課題を解決するための手段】
【００１０】
上記目的を達成するため、本開示の第１の観点に係る公開市場システムは、競技について予想販売者が予想する展開を示す予想情報を収集する情報収集部と、予想購入者が保有するトークンの投入を受け付ける投入受付部と、情報収集部が収集した予想情報及び予想情報に基づく最適予想情報を、トークンを投入した予想購入者に提示する情報提示部と、一人以上の予想購入者から最適予想情報に対して投入されたトークンを一人以上の予想販売者に配分する配分実行部と、を備えることを特徴とする。
【００１１】
また、上記目的を達成するため、本開示の第２の観点に係る公開市場の提供方法は、競技について予想販売者が予想する展開を示す予想情報を収集する情報収集ステップと、予想購入者が保有するトークンの投入を受け付ける投入受付ステップと、情報収集ステップにおいて収集された予想情報及び予想情報に基づく最適予想情報を、トークンを投入した予想購入者に提示する情報提示ステップと、一人以上の予想販売者から最適予想情報に対して投入されたトークンを一人以上の予想販売者に配分する配分実行ステップと、を含むことを特徴とする。
【００１２】
また、上記目的を達成するため、本開示の第３の観点に係るプログラムは、競技について予想販売者が予想する展開を示す予想情報を収集する情報収集手段、予想購入者が保有するトークンの投入を受け付ける投入受付手段、情報収集手段が収集した予想情報及び予想情報に基づく最適予想情報を、トークンを投入した予想購入者に提示する情報提示手段、一人以上の予想購入者から最適予想情報に対して投入されたトークンを一人以上の予想販売者に配分する配分実行手段、として機能させる。
【発明の効果】
【００１３】
本開示によれば、ユーザの利便性が高い公開市場システム等を提供することができる。
【図面の簡単な説明】
【００１４】
【図１】実施形態に係る公開市場システムの構成例を示す図である。
【図２】実施形態に係るサーバ装置の構成例を示すブロック図である。
【図３】分散台帳の内容を示す概念図である。
【図４】実施形態に係るサーバ装置の動作の一例を示すフローチャートである。
【発明を実施するための形態】
【００１５】
以下、本開示の実施形態について図面を参照して説明する。なお、以下に説明する実施形態は、特許請求の範囲に記載された本開示の内容を不当に限定するものではない。また、実施形態に示される構成要素のすべてが、本開示の必須の構成要素であるとは限らない。
【００１６】
（実施形態）
図１に示すように、本実施形態に係る公開市場システム１は、サーバ装置１００と、一台以上の第１の通信端末２００と、一台以上の第２の通信端末３００と、ブロックチェーン分散ネットワーク４００とを備える。サーバ装置１００と、第１の通信端末２００と、第２の通信端末３００とは、それぞれネットワークＮＷを介して通信可能に接続される。ネットワークＮＷは、例えばＷＡＮ（World Area Network）である。なお、ネットワークＮＷには、必要に応じて、仮想通貨、電子決済、特典、インターネット生放送等を取り扱う関連業者が使用する他のサーバ装置（不図示）が接続されてもよい。
【００１７】
サーバ装置１００は、ユーザ（予想販売者と予想購入者）に公開市場を提供するサービス提供事業者によって管理されるサーバ装置である。サーバ装置１００は、ネットワークＮＷを介して、予想購入者からトークンの投入を受け受けて、予想販売者から収集した予想情報及びそれらに基づく最適予想情報を予想購入者に提供する。
【００１８】
なお、本実施形態では、サーバ装置１００が主体となって主な処理を実行する例を説明する。しかし、後述するように、サーバ装置１００の機能は、ブロックチェーン分散ネットワーク４００が果たしてもよい。すなわち、公開市場システム１が備えるサーバ装置１００と第１の通信端末２００と第２の通信端末３００とのいずれか一つ以上がブロックチェーン分散ネットワーク４００上で分散管理を行い、サーバ装置１００の機能を実現してもよい。
【００１９】
第１の通信端末２００は、予想販売者によって使用される通信端末である。第２の通信端末３００は、予想購入者によって使用される通信端末である。予想販売者と予想購入者は、競技におけるサポーター、観戦者等のファンである。
【００２０】
予想販売者は、競技の展開を予想し、その予想を販売する。予想購入者は、トークンを用いて、競技の展開の予想に関する情報を購入する。販売される予想の対象となる競技は、ブックメーカーが賭けの対象としている競技、公開市場の運営者自身が開催するオリジナルの競技などである。競技は、運動競技に限られず、知力や運、操作能力を競うゲーム大会であってもよい。
【００２１】
競技が障害物ドローンレースである場合、予想対象となる展開は、レースの順位、ベストタイム、特定の選手が特定の障害をクリアできるか、特定の障害物のクリアや一定区間の走破のベストタイム、誰がそれを達成するか、また特定の通過点での順位、競技中のアクシデント（故障、衝突）などである。なお、競技と展開は、ここで例示したものに限らない。
【００２２】
第１の通信端末２００と第２の通信端末３００は、例えば、パーソナルコンピュータ、タブレット端末、スマートフォン、ヘッドマウントディスプレイ、ＶＲゴーグル等の通信機能を有するである。なお、本実施形態では、予想販売者が使用する第１の通信端末２００と予想購入者が使用する第２の通信端末３００を区別している。しかし、これらは、予想販売と予想購入の両方を可能とする通信端末であってもよく、予想販売者と予想購入者の両方が使用可能な構成にされてもよい。
【００２３】
ここで、各国（例えば、現在の日本国）の法制度によっては、直接の予想によるベッティングが制限されることがあるため、予想情報の販売は直接の予想によるベッティングが制限されるエリアの利用者が行い、予想情報の購入は直接の予想によるベッティングが制限されないエリアの利用者が行うようにしてもよい。
【００２４】
分散台帳４１０は、ネットワークＮＷに接続されているブロックチェーン分散ネットワーク４００内に存在する。分散台帳４１０は、ブロックチェーン技術を用いて管理される。
【００２５】
＜サーバ装置の構成＞
以下、サーバ装置１００の構成を詳細に説明する。図２に示すように、サーバ装置１００は、他の装置と通信を行う通信部１１０と、各種データを記憶する記憶部１２０と、時刻を計時する計時部１３０と、管理者による入力を受け付ける入力部１４０と、装置全体の制御を行う制御部１５０とを備える。これらの構成要素は、バスラインＢＬによって相互に接続される。
【００２６】
通信部１１０は、有線通信又は無線通信を行うためのＮＩＣ（Network Interface Card controller）を備える通信インターフェースである。通信部１１０は、ネットワークＮＷを介して、第１の通信端末２００及び第２の通信端末３００と通信を行う。
【００２７】
記憶部１２０は、ＲＡＭ（Random Access Memory）、ＲＯＭ（Read Only Memory）等から構成される。記憶部１２０は、各種制御処理を実行するためのプログラム、各種データ等を記憶する。なお、公開市場システム１は、記憶部１２０が記憶すべき記憶データを分散台帳４１０に記憶させ、第１の通信端末２００や第２の通信端末３００がそれに書き換えを加える構成であってもよい。
【００２８】
計時部１３０は、クロック信号を生成するための発振回路及び可変ＰＬＬ（Phase Locked Loop）、クロック信号のパルス数をカウントするカウンタ回路等から構成される。計時部１３０はカウントされるパルス数に基づいて時刻を計時する。
【００２９】
入力部１４０は、管理者の入力を受け付けるインターフェースを有し、例えば、操作ボタン、キーボード等を備える。なお、入力部１４０は、音声認識によって管理者の入力を受け付ける構成であってもよい。この管理者は、サービス提供事業者ではなく、スポーツ関係者であってもよい。例えば、スポーツ関係者が試合の状況を見ながら、ユーザの予想に対応する結果を入力してもよい。
【００３０】
制御部１５０は、ＣＰＵ（Central Processing Unit）等から構成される。制御部１５０は、記憶部１２０に記憶されているプログラムを実行することにより、サーバ装置１００の全体の動作を制御する。制御部１５０は、計時部１３０がカウントするパルス数に基づいたタイミングで各種制御を実行する。また、制御部１５０は、計時部１３０が計時する時刻に基づいて、ユーザからのトークンの投入及び予想情報の受付時刻を取得したり、経過時間や締め切り時間を管理したりする等の処理を実行する。
【００３１】
以下、制御部１５０の機能的な構成を説明する。制御部１５０は、情報収集部１５１、投入受付部１５２、情報解析部１５３、情報提示部１５４、配分実行部１５５として機能する。なお、これらのうち、いずれか一つ以上の機能は、サーバ装置１００ではなく、ブロックチェーン分散ネットワーク４００が果たしてもよい。
【００３２】
情報収集部１５１は、競技について予想販売者が予想する展開を示す予想情報を収集する。具体的には、情報収集部１５１は、通信部１１０を介して、第１の通信端末２００から予想情報を受信する。予想情報は、記憶部１２０又は分散台帳４１０に記憶される。
【００３３】
投入受付部１５２は、予想購入者によるトークンの購入と、予想購入者が保有するトークンの投入とを受け付ける。投入受付部１５２は、通信部１１０を介して、第２の通信端末３００から投入の指示をスマートコントラクトで受け付ける。なお、トークンは、分割可能で交換可能なブロックチェーン上の仮想通貨（例えばイーサリウムのERC20トークン等）でもあってもよいし、単に通貨から変換可能なポイントであってもよい。
【００３４】
ここでトークンには、複数の種類のトークンが使用されてもよい。トークンの種類に応じて、利用目的が異なるものであってもよいし、利用目的が同じであってもそれらの重み付けが異なるものであってもよい。
【００３５】
トークンを投入する予想購入者は、個別の予想情報の購入と、最適予想情報の購入の２種類の購入が可能である。予想購入者がトークンを投入して、個別の予想情報を購入した場合、購入の時点でその予想情報の予想販売者に投入されたトークンが移動する。なお、購入の時点ではトークンが移動せず、トークンの移動予定が確定するだけで、事後的にトークンが移動してもよい。
【００３６】
一方、予想購入者が最適予想情報を購入した場合、予想の結果が出てから、その予想情報の的中度合（最適予想情報への貢献度合い）、直近過去の実績ランキング等に基づいて、投入されたトークンが一人以上の予想販売者のそれぞれに配分される。すなわち、最適予想情報の購入において投入されたトークンは、予想の当否の結果が出るまでプールされる。
【００３７】
なお、収集されたトークンは、すべて予想販売者に配分されてもよいし、一部が予想販売者に配分されてもよい。例えば、収集されたトークンの一部は、プラットフォームの月額利用料として事業者に配分されたり、スポーツ競技に関係するスポーツ関係者（選手、コーチ、監督、スポンサー等）に配分されたりしてもよく、残りのトークンが予想販売者に配分されてもよい。
【００３８】
情報解析部１５３は、収集した予想情報及びそれらを予想した予想販売者の過去の実績を機械学習によって解析して、最適予想情報を生成する。最適予想情報は、収集したすべての予想情報の全体像を統計的に解析したものであってもよいし、予想精度が高い上位ランクの予想販売者の予想情報を抽出したものであってもよい。機械学習では、例えばスパースモデリング技術を使用することが好ましい。
【００３９】
メジャーではない競技では、予想情報の数が少ない場合がある。スパースモデリング技術によれば、予想情報の数が少ない場合であっても、それらのデータから特徴を抽出して解析を行うことができる。そのため、最適予想の精度を確保しやすい。また、予想情報が大量販売される場合がある。スパースモデリング技術によれば、データが少量のうちから解析を行うため、徐々にデータが増えて大量になった場合であっても、リアルタイムに最適予想を導くことが可能である。
【００４０】
情報提示部１５４は、情報収集部１５１が収集した予想情報及び予想情報に基づく最適予想情報を、それらに対してトークンを投入した予想購入者に提示する。また、情報提示部１５４は、予想情報の入力フォームや予想に関連する競技の情報等を予想販売者に提示する。情報提示部１５４による情報の提示は、通信部１１０を介して、第１の通信端末２００や第２の通信端末３００に情報を送信することによって行われる。
【００４１】
ここで、トークンの投入により、予想販売者の予想情報のみを購入した場合には、予想購入者は、その予想情報を閲覧可能となる。この場合、最適予想情報は、全部が閲覧不能に提示されてもよいし、一部のみが閲覧可能に提示されてもよいし、抽象化された状態で提示されてもよい。
【００４２】
一方、トークンの投入により、最適予想情報のみを購入した場合には、予想購入者は、最適予想情報を閲覧可能となる。この場合、予想販売者の予想情報は、全部が閲覧不能に提示されてもよいし、一部のみが閲覧可能に提示されてもよいし、抽象化された状態で提示されてもよい。なお、最適予想情報は、購入後に内容が更新されてもよいし、購入時点の内容のままであってもよい。
【００４３】
予想購入者は、トークンの投入により、予想情報と最適予想情報の両方を購入してもよい。この場合、その予想購入者は、それらの両方を閲覧することができる。
【００４４】
情報提示部１５４は、トークンの履歴情報に基づいて、予想情報の販売及び購入の実績を示す実績情報を予想購入者に提示してもよい。トークンの履歴情報は、ブロックチェーン技術に基づく情報であってもよい。これにより、予想情報の売買実績の透明性及び中立性が実現される。
【００４５】
配分実行部１５５は、一人以上の予想購入者から最適予想情報に対して投入されたトークンをそれぞれ各々の予想販売者に配分する。配分実行部１５５は、予想販売者の予想情報の販売実績又は当否実績に応じて、予想販売者にトークンを配分する。なお、トークンの配分実績をブロックチェーン技術に基づいて公開してもよい。これにより、トークンの配分方法の透明性及び中立性が実現される。
【００４６】
配分実行部１５５は、予想販売者の直近過去の予想情報の当否実績から算出される予想精度に基づいて、その予想販売者にトークンを配分してもよい。例えば、所定数の上位ランキングに入っている予想販売者のみにトークンが配分されてもよいし、予想精度に比例する配当としてトークンが配分されてもよい。
【００４７】
以上、サーバ装置１００が主体となって主な処理を実行する例を説明した。ここで、以下、ブロックチェーン分散ネットワーク４００上で分散管理を行う場合の分散台帳４１０について説明する。図３は、分散台帳の内容を示す概念図である。
【００４８】
分散台帳は、エンティティとトランザクションとを含む。エンティティは複数のデータを示し、トランザクションはそれらのデータへの操作を示す情報である。エンティティの取得もトランザクションもすべてブロックチェーン上のスマートコントラクトとして実装される。なお、最適予想情報を生成するための情報解析部１５３は、ブロックチェーン分散ネットワーク４００上ではなく、サーバ装置１００に設けられることが好ましい。
【００４９】
各エンティティは、基本的には、識別子とタイムスタンプのような最低限のデータで構成され、かつ識別子同士の関連性と、試合、戦術、予想、予想に対する結果等のデータがブロックチェーン上に保持される。識別子同士の関連性では、競技、リーグ、試合に参加したチームや選手等が階層構造で関連付けられる。
【００５０】
なお、ブロックチェーン外では、選手名、チーム名、プロフィール、イベント名、開催場所等の運営者が設定する情報と、点数、勝敗、勝率等の数値データと、チームアイコン、選手の写真等の画像データとがスポーツデータとして保持される。これらは、例えば、管理者又は市場運営者がサーバ装置１００に入力して、サーバ装置１００に記憶される。
【００５１】
ブロックチェーン上には、トークンの移動の対象となるエンティティと、各エンティティ間でのトークンの移動を伴うトランザクションが存在する。エンティティは、例えば、スポーツ、リーグ、チーム、選手等の階層データと、試合、戦術、予想及び予想に対する結果と、各ユーザのロール（特定のチームへの所属、チームにおける権限）と、ユーザの状態（例えばトークンの保有状況）とを含む。
【００５２】
トランザクションには、例えば、ユーザ（予想販売者と予想購入者）やスポーツ関係者によるスポーツデータの閲覧と、ユーザによるトークン投入と、ユーザによる予想情報の購入及び予想情報の販売と、予想情報の購入販売に伴うトークン移動とがある。また、トランザクションには、主催者（市場運営者）による試合の管理、試合結果の登録（結果反映）、結果反映に基づく予想評価及びそれによるトークンの配分がある。
【００５３】
＜処理の流れ＞
以下、図４を参照しながら、公開市場システム１の動作の一例を説明する。なお、この動作の前に、管理者又は市場運営者が、予定されている試合の一覧情報と、予想される展開を示す選択肢や予想情報の入力フォーム等の情報をサーバ装置１００又は分散台帳４１０に登録しているものとする。また、以下の説明は、予想購入者が予めトークンを購入して保有していることを前提とする。
【００５４】
また、この動作は、サーバ装置１００が実行主体であってもよいし、ブロックチェーン分散ネットワーク４００が実行主体であってもよい。両者を含む実行主体を公開市場システム１として、以下、動作内容を説明する。
【００５５】
まず、公開市場システム１は、競技について予想販売者が予想する展開を示す予想情報を収集する（ステップＳ１０１）。具体的には、公開市場システム１は、予想に必要な情報と予想情報を入力する入力フォームとを予想販売者が使用する第２の通信端末２００に提示する。公開市場システム１は、第２の通信端末２００から予想販売者が入力した予想情報を収集する。公開市場システム１は、収集した予想情報及びそれらの予想販売者の過去の実績を機械学習によって解析して最適予想情報を生成する。
【００５６】
公開市場システム１は、予想購入者が保有するトークンの投入を受け付ける（ステップＳ１０２）。公開市場システム１は、第２の通信端末３００から投入指示を受信することによってトークンの投入を受け付ける。
【００５７】
トークンの投入とは、ブロックチェーン上のトークンの移動（スマートコントラクト）である。予想購入者は、予想情報又は最適予想情報を購入する場合にトークンを投入する。購入時には、予想情報の一覧と最適予想情報に関する情報が第２の通信端末３００に提示される。この際、トークンの履歴情報に基づいて、予想情報の販売及び購入の実績を示す実績情報が提示されてもよい。
【００５８】
なお、予想情報が購入された予想販売者には、予想情報を購入した予想購入者からトークンが移動する。最適予想情報の購入において投入されたトークンはプールされる。
【００５９】
公開市場システム１は、予想情報及び／又は最適予想情報の情報の提示を行う（ステップＳ１０３）。具体的には、公開市場システム１は、収集された予想情報のうち、購入された予想情報をそのトークンを投入した予想購入者が使用する第２の通信端末３００に提示する。また、公開市場システム１は、購入された予想情報に基づく最適予想情報を、そのトークンを投入した予想購入者が使用する第２の通信端末３００に提示する。
【００６０】
予想に対する結果が出た後に、公開市場システム１は、一人以上の予想販売者から最適予想情報に対して投入され、プールされているトークンを、一人以上の予想販売者に配分する（ステップＳ１０４）。トークンは、予想販売者の予想情報の販売実績又は当否実績に応じて配分されてもよいし、予想販売者の直近過去の予想情報の当否実績から算出される予想精度に基づいて配分されてもよい。
【００６１】
＜効果の説明＞
本実施形態に係る公開市場システム１によれば、予想購入者には、予想販売者の実績情報が提示される。この実績情報はトークンの履歴情報（ブロックチェーン）に基づくものであるため、透明性及び中立性が高い。そのため、予想購入者に提供される情報の信用性は高い。
【００６２】
本実施形態に係る公開市場システム１によれば、予想対象は、試合の勝敗、何点が入るか、点数差、誰が点を入れるか（特定の選手の活躍）、どのようなチーム編成になるか等の展開である。そのため、公開市場システム１は、公営競技に限られず、サッカー、野球等の一般的な競技にも適用可能であり、汎用性が高い。
【００６３】
公開市場システム１が提供する最適予想情報は、収集された予想情報とそれを予想した予想販売者の過去の実績の特徴を機械学習したものであり、機械学習にはスパースモデリング技術が使用される。そのため、予想の数に依らず、高速に最適予想を導くことが可能であり、精度も高くすることができる。
【００６４】
このように、公開市場システムでは、種々の観点において、ユーザの利便性が高い。
【００６５】
以上で実施形態の説明を終了するが、上記実施形態は一例に過ぎない。そのため、公開市場システム１の具体的な構成、処理の内容等は上記実施形態で説明したものに限られない。
【００６６】
また、本開示に係る公開市場システム１は、上記装置によらず、例えば、コンピュータがプログラムを実行することで、その機能を実現してもよい。公開市場システム１の機能を実現するためのプログラムは、ＵＳＢ（Universal Serial Bus）メモリ、ＣＤ−ＲＯＭ（Compact Disc−Read Only Memory）、ＤＶＤ（Digital Versatile Disc）、ＨＤＤ（Hard Disc Drive）等のコンピュータ読み取り可能な記録媒体に記憶されてもよいし、ネットワークを介してコンピュータにダウンロードされてもよい。
【００６７】
以上、本開示の好ましい実施形態について説明したが、本開示は係る特定の実施形態に限定されるものではなく、本開示には、特許請求の範囲に記載された発明とその均等の範囲が含まれる。また、上記実施形態及び変形例で説明した装置の構成は、技術的な矛盾が生じない限り、適宜組み合わせ可能である。
【符号の説明】
【００６８】
１…公開市場システム、１００…サーバ装置、２００…第１の通信端末、３００…第２の通信端末、１１０…通信部、１２０…記憶部、１３０…計時部、１４０…入力部、１５０…制御部、１５１…情報収集部、１５２…投入受付部、１５３…情報解析部、１５４…情報提示部、１５５…配分実行部、４００…ブロックチェーン分散ネットワーク、４１０…分散台帳
【図１】
2020080053.tif 000003
【図２】
2020080053.tif 000004
【図３】
2020080053.tif 000005
【図４】
2020080053.tif 000006